(57)【特許請求の範囲】
【請求項１】
複数の信号線と複数の走査線をマトリクス状に配設し、これらの信号線と走査線の各交差部に表示素子を有する液晶パネルと、
映像入力信号に応じた走査タイミングで前記複数の走査線を順次選択して走査する走査手段と、
前記各信号線に入力される映像入力信号により前記各表示素子を駆動する駆動手段と、
を備えた液晶表示装置において、
前記液晶パネルの表示素子は、前記駆動手段により駆動される映像入力信号を前記走査手段による走査線の走査タイミングで保持する信号保持機能を備え、
前記走査手段は、前記走査タイミングに基づいて順次選択する走査線数と非選択とする走査線数の間隔を任意に設定し、この非選択とした走査線に係る表示素子には、直前の選択走査で当該表示素子に保持された前記映像入力信号を保持させることを特徴とする液晶表示装置。
【請求項２】
前記映像入力信号は、フィールド単位で前記走査線毎に順次走査されるフィールド走査形態の映像信号であり、
前記走査手段は、前記走査タイミングに基づいて順次選択する走査線数と非選択とする走査線数の間隔をフィールド毎に任意に設定し、この非選択とした走査線に係る表示素子には、直前のフィールドの選択走査で当該表示素子に保持された前記映像入力信号を保持させることを特徴とする請求項１記載の液晶表示装置。
【請求項３】
複数の信号線と複数の走査線をマトリクス状に配設し、これらの信号線と走査線の各交差部に表示素子を有する液晶パネルを駆動する際に、
映像入力信号に応じた走査タイミングで前記複数の走査線を順次選択して走査し、前記各信号線に入力される映像入力信号により前記各表示素子を駆動する液晶駆動方法において、
前記液晶パネルの表示素子は、前記駆動される映像入力信号を前記走査線の走査タイミングで保持する信号保持機能を備え、
前記走査タイミングに基づいて順次選択する走査線数と非選択とする走査線数の間隔を任意に設定し、この非選択とした走査線に係る表示素子には、直前の選択走査で当該表示素子に保持された前記映像入力信号を保持させることを特徴とする液晶駆動方法。
【請求項４】
前記映像入力信号は、フィールド単位で前記走査線毎に順次走査されるフィールド走査形態の映像信号であり、
前記走査タイミングに基づいて順次選択する走査線数と非選択とする走査線数の間隔をフィールド毎に任意に設定し、この非選択とした走査線に係る表示素子には、直前のフィールドの選択走査で当該表示素子に保持された前記映像入力信号を保持させることを特徴とする請求項３記載の液晶駆動方法。
【発明の詳細な説明】
【０００１】
【発明の属する技術分野】
本発明は、アスペクト比の異なる映像信号をアスペクト比の異なる表示画面に表示する液晶表示装置及び液晶駆動方法に関する。
【０００２】
【従来の技術】
近時、通常のＮＴＳＣ方式のテレビジョン画像（アスペクト比が３：４）よりも横長の画面（アスペクト比が９：１６）を有するいわゆるワイドテレビジョンが開発され、実用放送も開始されている。
【０００３】
また、レターボックスビデオ信号（例えば、アスペクト比１６：９のＥＤＴＶIIビデオ信号やシネマモードビデオ信号）を、アスペクト比１６：９のＮＴＳＣ方式ワイドテレビジョンに画面上下の無画部（黒帯部分）を削除して表示する場合、垂直方向に走査線を増やす垂直伸張が必要である。ＥＤＴＶIIビデオ信号の場合、中央のビデオ信号部は、一方のフィールド当りの走査線数が１８０本であるため、その走査線数を３／４倍して２４０本に伸張して表示している。
【０００４】
このような走査線数の伸張機能を実現するためには、ビデオ信号を走査ライン毎に蓄積するラインメモリを複数備え、このラインメモリにビデオ信号を記憶して、走査線補完演算処理により走査線を補完するビデオ信号を生成している。
【０００５】
以上の走査線数伸張機能は、液晶表示パネルを使用したワイドテレビジョンにおいて実現する場合でも、同様にラインメモリや走査線補完演算処理が必要である。
【０００６】
【発明が解決しようとする課題】
しかしながら、このような従来のワイドテレビジョンにあっては、走査線数の伸張機能を実現するためには、ビデオ信号を走査ライン毎に蓄積するラインメモリを複数備えるとともに、このラインメモリにビデオ信号を記憶して、補完するビデオ信号を生成する走査線補完演算処理を必要としていたため、部品点数が増加してプリント基板の実装面積を増大させるとともに、走査線補完演算処理プログラムが処理負担を増大させてワイドテレビジョンのコストを上昇させるという課題があった。
【０００７】
これらの課題は、液晶表示パネルを使用したワイドテレビジョンにおいても同様である。
【０００８】
本発明の課題は、ビデオ信号のフィールド毎の選択タイミングと非選択タイミングを制御して、その非選択タイミングで直前のフィールドのビデオ信号をＴＦＴの信号保持機能により保持することにより、低コストで垂直走査線伸張機能を実現する液晶表示装置及び液晶駆動方法を提供することである。
【０００９】
【課題を解決するための手段】
請求項１記載の発明は、
複数の信号線と複数の走査線をマトリクス状に配設し、これらの信号線と走査線の各交差部に表示素子を有する液晶パネルと、
映像入力信号に応じた走査タイミングで前記複数の走査線を順次選択して走査する走査手段と、
前記各信号線に入力される映像入力信号により前記各表示素子を駆動する駆動手段と、
を備えた液晶表示装置において、
前記液晶パネルの表示素子は、前記駆動手段により駆動される映像入力信号を前記走査手段による走査線の走査タイミングで保持する信号保持機能を備え、
前記走査手段は、前記走査タイミングに基づいて順次選択する走査線数と非選択とする走査線数の間隔を任意に設定し、この非選択とした走査線に係る表示素子には、直前の選択走査で当該表示素子に保持された前記映像入力信号を保持させることを特徴としている。
【００１０】
この請求項１記載の発明の液晶表示装置によれば、
複数の信号線と複数の走査線をマトリクス状に配設し、これらの信号線と走査線の各交差部に表示素子を有する液晶パネルと、映像入力信号に応じた走査タイミングで前記複数の走査線を順次選択して走査する走査手段と、前記各信号線に入力される映像入力信号により前記各表示素子を駆動する駆動手段と、を備えた液晶表示装置において、前記液晶パネルの表示素子には、前記駆動手段により駆動される映像入力信号を前記走査手段による走査線の走査タイミングで保持する信号保持機能が備えられ、前記走査手段では、前記走査タイミングに基づいて順次選択する走査線数と非選択とする走査線数の間隔が任意に設定され、この非選択とした走査線に係る表示素子には、直前の選択走査で当該表示素子に保持された前記映像入力信号が保持される。
【００１１】
したがって、非選択とした走査線に係る表示素子には、直前の選択走査で当該表示素子に保持された前記映像入力信号を保持させることにより、垂直走査線伸張機能を容易に実現できるため、液晶表示装置において垂直走査線伸張機能を付加する際のコスト上昇を極力抑えることができる。
【００１２】
この場合、請求項２に記載する発明のように、請求項１記載の液晶表示装置において、前記映像入力信号は、フィールド単位で前記走査線毎に順次走査されるフィールド走査形態の映像信号であり、
前記走査手段は、前記走査タイミングに基づいて順次選択する走査線数と非選択とする走査線数の間隔をフィールド毎に任意に設定し、この非選択とした走査線に係る表示素子には、直前のフィールドの選択走査で当該表示素子に保持された前記映像入力信号を保持させるようにしてもよい。
【００１３】
この請求項２記載の発明の液晶表示装置によれば、
前記映像入力信号は、フィールド単位で前記走査線毎に順次走査されるフィールド走査形態の映像信号であり、前記走査手段では、前記走査タイミングに基づいて順次選択する走査線数と非選択とする走査線数の間隔がフィールド毎に任意に設定され、この非選択とした走査線に係る表示素子には、直前のフィールドの選択走査で当該表示素子に保持された前記映像入力信号が保持される。
【００１４】
したがって、液晶表示装置を利用したワイドテレビジョン等において、垂直走査線伸張機能を簡易な走査回路で実現できるため、その走査回路の基板面積を低減して消費電力の増加を抑えて、液晶表示装置を利用したワイドテレビジョン等において垂直走査線伸張機能を付加する際のコスト上昇を極力抑えることができる。
【００１５】
請求項３記載の発明は、
複数の信号線と複数の走査線をマトリクス状に配設し、これらの信号線と走査線の各交差部に表示素子を有する液晶パネルを駆動する際に、
映像入力信号に応じた走査タイミングで前記複数の走査線を順次選択して走査し、前記各信号線に入力される映像入力信号により前記各表示素子を駆動する液晶駆動方法において、
前記液晶パネルの表示素子は、前記駆動される映像入力信号を前記走査線の走査タイミングで保持する信号保持機能を備え、
前記走査タイミングに基づいて順次選択する走査線数と非選択とする走査線数の間隔を任意に設定し、この非選択とした走査線に係る表示素子には、直前の選択走査で当該表示素子に保持された前記映像入力信号を保持させることを特徴としている。
【００１６】
この請求項３記載の発明の液晶駆動方法によれば、
複数の信号線と複数の走査線をマトリクス状に配設し、これらの信号線と走査線の各交差部に表示素子を有する液晶パネルを駆動する際に、映像入力信号に応じた走査タイミングで前記複数の走査線を順次選択して走査し、前記各信号線に入力される映像入力信号により前記各表示素子を駆動する液晶駆動方法において、前記液晶パネルの表示素子には、前記駆動される映像入力信号を前記走査線の走査タイミングで保持する信号保持機能が備えられ、前記走査タイミングに基づいて順次選択する走査線数と非選択とする走査線数の間隔が任意に設定され、この非選択とした走査線に係る表示素子には、直前の選択走査で当該表示素子に保持された前記映像入力信号が保持される。
【００１７】
したがって、本発明の液晶駆動方法をＴＦＴ型液晶表示装置に採用することにより、垂直走査線伸張機能を容易に実現できるため、液晶表示装置において垂直走査線伸張機能を付加する際のコスト上昇を極力抑えることができる。
【００１８】
この場合、請求項に４記載する発明のように、請求項３記載の液晶駆動方法において、前記映像入力信号は、フィールド単位で前記走査線毎に順次走査されるフィールド走査形態の映像信号であり、
前記走査タイミングに基づいて順次選択する走査線数と非選択とする走査線数の間隔をフィールド毎に任意に設定し、この非選択とした走査線に係る表示素子には、直前のフィールドの選択走査で当該表示素子に保持された前記映像入力信号を保持させるようにしてもよい。
【００１９】
この請求項４記載の発明の液晶駆動方法によれば、
前記映像入力信号は、フィールド単位で前記走査線毎に順次走査されるフィールド走査形態の映像信号であり、前記走査タイミングに基づいて順次選択する走査線数と非選択とする走査線数の間隔がフィールド毎に任意に設定され、この非選択とした走査線に係る表示素子には、直前のフィールドの選択走査で当該表示素子に保持された前記映像入力信号が保持される。
【００２０】
したがって、本発明の液晶駆動方法を液晶表示装置を利用したワイドテレビジョン等に採用することにより、垂直走査線伸張機能を簡易な走査回路で実現できるため、その走査回路の基板面積を低減して消費電力の増加を抑えて、液晶表示装置を利用したワイドテレビジョン等において垂直走査線伸張機能を付加する際のコスト上昇を極力抑えることができる。
【００２１】
【発明の実施の形態】
以下、図を参照して本発明の実施の形態を詳細に説明する。
【００２２】
図１〜図６は、本発明の液晶表示装置及び液晶駆動方法を適用した液晶表示装置の一実施の形態を示す図である。
【００２３】
まず、構成を説明する。
【００２４】
図１は、本実施の形態の液晶表示装置１の要部回路構成を示す図である。図１において、液晶表示装置１は、制御回路２、ソースドライバ３、ゲートドライバ４及びＴＦＴ液晶表示パネル５により構成されている。なお、ＴＦＴ液晶表示パネル５は、ワイドテレビジョンに対応するアスペクト比１６：９の表示画面を形成するものとする。
【００２５】
制御回路２は、ソースドライバ２及びゲートドライバ４を制御するＣＰＵ（C-entral Processing Unit）等から構成され、電源投入後に液晶表示開始が指示されると、図外の図示しないインターフェースブロックから入力されるシステムクロック信号ＳＣＫ▲１▼に基づいてソースドライバ２及びゲートドライバ４を制御する各種タイミング制御信号として、サンプリング開始信号▲２▼、サンプリングロック信号▲３▼、走査スタート信号▲４▼、走査シフトクロック信号▲５▼及びゲート出力オフ信号▲６▼を生成してソースドライバ２及びゲートドライバ４に出力する。
【００２６】
ソースドライバ３は、制御回路２から入力されるサンプリング開始信号▲２▼のサンプリング開始タイミングに基づいて、外部の図示しない表示メモリ等から入力される表示信号▲１▼のサンプリングを開始し、また、制御回路２から入力されるサンプリングロック信号▲３▼のサンプリングロックタイミングに基づいて、サンプリング開始信号▲２▼の内部のシフトタイミングを制御して、サンプリングした表示信号▲１▼によりソース電極駆動信号を生成してＴＦＴ液晶表示パネル５内のソース電極Ｙ１〜Ｙｎを駆動する。
【００２７】
ゲートドライバ４内の回路構成は図２に示すように、ｎビットシフトレジスタ４１、ＡＮＤゲート回路４２及び出力バッファ回路４３により構成されている。
【００２８】
ｎビットシフトレジスタ４１は、制御回路２から入力される走査スタート信号▲４▼の走査スタートタイミングに基づいてゲート電極駆動信号の生成を開始し、制御回路２から入力される走査シフトクロック信号▲５▼のシフトクロックタイミングに基づいて、生成したゲート電極駆動信号の内部のシフトタイミングを制御してＡＮＤゲート回路４２に順次出力する。
【００２９】
ＡＮＤゲート回路４２は、ｎビットシフトレジスタ４１から入力されるゲート電極駆動信号と、制御回路２から入力されるゲート出力オフ信号▲６▼との論理和を取って出力する回路である。したがって、ＡＮＤゲート回路４２は、ゲート出力オフ信号▲６▼が“Ｈｉ”状態のときは、ゲート電極駆動信号を出力バッファ４３に出力し、ゲート出力オフ信号▲６▼が“Ｌｏ”状態のときは、ゲート電極駆動信号の出力を停止する。
【００３０】
出力バッファ４３は、ＡＮＤゲート回路４２から入力されるゲート電極駆動信号の波形を整形してＴＦＴ液晶表示パネル５内のゲート電極Ｘ１〜Ｘｎに出力して、ゲート電極Ｘ１〜Ｘｎを駆動する。
【００３１】
ＴＦＴ液晶表示パネル５は、図示しないが複数本のゲート電極（走査電極）Ｘ１〜Ｘｎと、複数本のソース電極（信号電極）Ｙ１〜Ｙｎと、ゲート電極とソース電極の各交点に配置されたＴＦＴ（Thin Film Transistor、図示せず）と、ＴＦＴに接続された液晶容量（画素容量）ＣＬＣとを備える。ＴＦＴ液晶表示パネル５は、ゲートドライバ４から入力されるゲート電極駆動信号によりゲート電極Ｘ１〜Ｘｎが順次駆動され、ソースドライバ２から入力されるソース電極駆動信号によりソース電極Ｙ１〜Ｙｎが駆動されて、映像が表示される。
【００３２】
次に、本実施の形態の動作を説明する。
【００３３】
まず、本実施の形態の液晶表示装置１において実行される走査線伸張処理の原理について図３、図４を参照して説明する。
【００３４】
図３は、通常の液晶駆動方法による走査線（同図（ａ））とＴＦＴ液晶表示パネル５の表示状態（同図（ｂ））と、の関係を示している。この図３（ａ）に示す走査線の奇数フィールドでは、ｎ番目、ｎ＋２番目、・・・ｎ＋８番目、ｎ＋１０番目と奇数番目の走査線が順次選択され、偶数フィールドでは、ｎ＋１番目、ｎ＋３番目、・・・ｎ＋９番目、ｎ＋１１番目と偶数番目の走査線が順次選択され、その各フィールドの走査線の選択タイミングに対応する表示信号▲１▼がＴＦＴ液晶表示パネル５の奇数番目のゲート電極と偶数番目のゲート電極にフィールド毎に書き込まれる。
【００３５】
図４は、本実施の形態の走査線伸張処理における伸張処理前の走査線（水平走査区間）（同図（ａ））と、伸張処理後のＴＦＴ液晶表示パネル５の表示状態（同図（ｂ））と、の関係を示している。同図（ａ）に示す走査線の奇数フィールドにおいては、まずｎ番目の走査線の表示信号▲１▼が選択され、この選択されたｎ番目の表示信号▲１▼が同図（ｂ）のＴＦＴ液晶表示パネル５上のゲート電極Ｘ１に書き込まれ、次いでｎ＋２番目の走査線の表示信号▲１▼が選択され、この選択されたｎ＋２番目の表示信号▲１▼がゲート電極Ｘ２に書き込まれ、次いでｎ＋４番目の走査線の表示信号▲１▼が選択され、この選択されたｎ＋４番目の表示信号▲１▼が１つ飛ばしたゲート電極Ｘ４に書き込まれて表示される。
【００３６】
ここで、飛ばされたゲート電極（Ｘ３）は、奇数フィールドの走査時には選択されず、直前の偶数フィールドで選択されたｎ＋３番目の走査線の表示信号▲１▼が、ゲート電極Ｘ３に接続されたＴＦＴの信号保持機能により保持されている。そして、次いでｎ＋６番目の走査線の表示信号▲１▼が選択され、この選択されたｎ＋６番目の表示信号▲１▼がゲート電極Ｘ５に書き込まれるが、次のゲート電極Ｘ６も奇数フィールドの走査時には選択されず、直前の偶数フィールドで選択されたｎ＋７番目の走査線の表示信号▲１▼が、ゲート電極Ｘ６に接続されたＴＦＴの信号保持機能により保持されている。
【００３７】
さらに、ｎ＋８、ｎ＋１０番目の走査の表示信号▲１▼が選択され、それぞれゲート電極Ｘ７、Ｘ８に書き込まれて表示される。すなわち、奇数フィールドでは、走査線３本に走査線１本の割合でゲート電極が選択されず、その選択されないゲート電極では、直前の偶数フィールドで選択された表示信号▲１▼が保持されるように、奇数フィールドのゲート電極の選択タイミングと非選択タイミングが制御されている。
【００３８】
なお、図４（ｂ）において（）内に示すゲート電極は、直前のフィールドの表示信号▲１▼を保持していることを意味している。
【００３９】
以上のように、奇数フィールドにおいてゲート電極の選択タイミングと非選択タイミングを制御することにより、走査線６本分の表示信号▲１▼は、ゲート電極Ｘ１〜Ｘ８の８本分に表示されることになり、８／６倍すなわち４／３倍に走査線の垂直伸張が行われたことになる。
【００４０】
また、図４（ａ）に示す走査線の偶数フィールドにおいても同様に、８本の走査線ｎ＋１〜ｎ＋１１のうちｎ＋３番目の走査線の表示信号▲１▼と、ｎ＋５番目の走査線の表示信号▲１▼が、それぞれ１つ飛ばしたゲート電極Ｘ３、Ｘ６に書き込まれて表示される。この偶数フィールドで選択されずに飛ばされたゲート電極（Ｘ２）、（Ｘ５）には、直前の奇数フィールドで選択されたｎ＋２番目、ｎ＋６番目の各走査線の表示信号▲１▼が、ゲート電極Ｘ２、Ｘ５に接続された各ＴＦＴの信号保持機能により保持されている。すなわち、偶数フィールドでも奇数フィールドと同様に、走査線３本に走査線１本の割合でゲート電極が選択されず、その選択されないゲート電極では、直前の奇数フィールドで選択された表示信号▲１▼が保持されるように、偶数フィールドのゲート電極の選択タイミングと非選択タイミングが制御されている。
【００４１】
以上のように、偶数フィールドにおいてもゲート電極の選択タイミングと非選択タイミングを制御して、非選択タイミングのゲート電極では、直前のフィールドで選択された表示信号▲１▼を、そのゲート電極に接続されたＴＦＴの信号保持機能により保持することにより、走査線６本分の表示信号▲１▼は、ゲート電極Ｘ１〜Ｘ８の８本分に表示されることになり、８／６倍すなわち４／３倍に走査線の垂直伸張が行われたことになる。
【００４２】
次に、図４（ａ）、（ｂ）に示した垂直伸張処理を、図１の液晶表示装置１で実行する際の各部の信号のタイミングチャートを図５、図６に示して、液晶表示装置１の動作を説明する。
【００４３】
図５は、図４の奇数フィールドの垂直伸張処理を図１の液晶表示装置１で実行する際の各部の信号のタイミングチャートである。
【００４４】
液晶表示装置１において、電源が投入されて、制御回路２に対して図外の図示しないインターフェースブロックからシステムクロック信号ＳＣＫ▲１▼が入力されると、制御回路２では、システムクロック信号ＳＣＫ▲１▼に基づいてサンプリング開始信号▲２▼及びサンプリングクロック信号▲３▼が生成されてソースドライバ３に出力されるとともに、図５（ｂ）に示す走査シフトクロック信号▲５▼及び図５（ｃ）に示す走査スタート信号▲４▼が生成されてゲートドライバ４に出力される。
【００４５】
図１のソースドライバ３では、制御回路２から入力されるサンプリング開始信号▲２▼のサンプリング開始タイミングに基づいて、外部の図示しない表示メモリ等から入力される表示信号▲１▼のサンプリングが開始されるとともに、制御回路２から入力されるサンプリングロック信号▲３▼のサンプリングロックタイミングに基づいて、サンプリング開始信号▲２▼の内部のシフトタイミングが制御されて、サンプリングした表示信号▲１▼によりソース電極駆動信号が生成されてＴＦＴ液晶表示パネル５内のソース電極Ｙ１〜Ｙｎが駆動される。
【００４６】
ゲートドライバ４では、制御回路２から走査スタート信号▲４▼及び走査シフトクロック信号▲５▼が、図２のｎビットシフトレジスタ４１に入力されると、走査スタート信号▲４▼の走査スタートタイミングに基づいてゲート電極駆動信号の生成が開始され、走査シフトクロック信号▲５▼のシフトクロックタイミングに基づいて、生成したゲート電極駆動信号の内部のシフトタイミングが制御されて、生成したゲート電極駆動信号がＡＮＤゲート回路４２に順次出力される。
【００４７】
そして、ＡＮＤゲート回路４２では、ｎビットシフトレジスタ４１から入力されるゲート電極駆動信号と、制御回路２から入力される図５（ｌ）に示すゲート出力オフ信号▲６▼との論理和が取られるが、ゲート出力オフ信号▲６▼が“Ｈｉ”状態のときは、ゲート電極駆動信号が出力バッファ４３に出力され、ゲート出力オフ信号▲６▼が“Ｌｏ”状態のときは、ゲート電極駆動信号の出力が停止される。
【００４８】
出力バッファ４３では、ＡＮＤゲート回路４２から入力されるゲート電極駆動信号の波形が整形されてＴＦＴ液晶表示パネル５内のゲート電極Ｘ１〜Ｘｎに出力されて、ゲート電極Ｘ１〜Ｘｎが駆動される。
【００４９】
ここで、ゲートドライバ４から出力されるゲート電極駆動信号のうち図５（ｄ）〜（ｋ）に示す走査線８本分のゲート電極駆動信号に注目すると、同図（ｂ）の走査シフトクロック信号▲５▼の１発目のパルスで、同図（ｄ）のゲート電極駆動信号Ｘ１が“Ｈｉ”として選択出力されると、１本目の１走査区間（１Ｈ：走査線）の表示信号▲１▼が選択されてＴＦＴ液晶表示パネル５上の１本目のゲート電極Ｘ１に書き込まれ、続く走査シフトクロック信号▲５▼の２発目のパルスで、同図（ｅ）のゲート電極駆動信号Ｘ２が“Ｈｉ”として選択出力されると、２本目の１走査区間の表示信号▲１▼が選択されてＴＦＴ液晶表示パネル５上の２本目のゲート電極Ｘ２に書き込まれる。
【００５０】
そして、同図（ｂ）に示す走査シフトクロック信号▲５▼の３発目のパルスは２発連続して出力されて、同図（ｆ）のゲート電極駆動信号（Ｘ３）が非選択されるとともに、制御回路２により同図（ｌ）のゲート出力オフ信号▲６▼が“Ｌｏ”に設定されて、３本目の走査区間のゲート電極Ｘ３は“Ｌｏ”に固定される。この時、ゲート電極Ｘ３に接続されたＴＦＴではオフ状態が維持されて、直前の偶数フィールドの５本目の走査区間で選択された表示信号▲１▼が液晶容量ＣＬＣに保持されている。
【００５１】
続いて、同様に同図（ｂ）の走査シフトクロック信号▲５▼の４発目のパルスで、同図（ｇ）のゲート電極駆動信号Ｘ４が“Ｈｉ”として選択出力されると、４本目の１走査区間の表示信号▲１▼が選択されてＴＦＴ液晶表示パネル５上の４本目のゲート電極Ｘ４に書き込まれ、続く走査シフトクロック信号▲５▼の５発目のパルスで、同図（ｈ）のゲート電極駆動信号Ｘ５が“Ｈｉ”として選択出力されると、５本目の１走査区間の表示信号▲１▼が選択されてＴＦＴ液晶表示パネル５上の５本目のゲート電極Ｘ５に書き込まれる。
【００５２】
そして、同図（ｂ）に示す走査シフトクロック信号▲５▼の６発目のパルスは２発連続して出力されて、同図（ｉ）のゲート電極駆動信号（Ｘ６）が非選択されるとともに、制御回路２により同図（ｌ）のゲート出力オフ信号▲６▼が“Ｌｏ”に設定されて、６本目の走査区間のゲート電極Ｘ６は“Ｌｏ”に固定される。この時、ゲート電極Ｘ６にに接続されたＴＦＴではオフ状態が維持されて、直前の偶数フィールドの５本目の走査区間で選択された表示信号▲１▼が液晶容量ＣＬＣに保持されている。
【００５３】
続いて、同様に同図（ｂ）の走査シフトクロック信号▲５▼の７発目のパルスで、同図（ｊ）のゲート電極駆動信号Ｘ７が“Ｈｉ”として選択出力されると、７本目の１走査区間の表示信号▲１▼が選択されてＴＦＴ液晶表示パネル５上の７本目のゲート電極Ｘ７に書き込まれ、続く走査シフトクロック信号▲５▼の８発目のパルスで、同図（ｋ）のゲート電極駆動信号Ｘ８が“Ｈｉ”として選択出力されると、８本目の１走査区間の表示信号▲１▼が選択されてＴＦＴ液晶表示パネル５上の５本目のゲート電極Ｘ８に書き込まれる。
【００５４】
以上の奇数フィールドでは、ゲートドライバ４によるゲート電極Ｘ１〜Ｘｎの選択及び非選択制御が走査線３本に走査線１本の割合で行われ、その非選択のゲート電極では、直前の偶数フィールドで選択された表示信号▲１▼が保持されることにより、走査区間（走査線）６本分の表示信号▲１▼は、ゲート電極Ｘ１〜Ｘ８の８本分に表示されることになり、８／６倍すなわち４／３倍に走査線の垂直伸張が行われたことになる。
【００５５】
次に、図４の偶数フィールドの垂直伸張処理における図１の液晶表示装置１の動作について、図６に示すタイミングチャートを参照して説明する。
【００５６】
ゲートドライバ４から出力されるゲート電極駆動信号のうち図６（ｄ）〜（ｋ）に示す走査線８本分のゲート電極駆動信号に注目すると、同図（ｂ）の走査シフトクロック信号▲５▼の１発目のパルスで、同図（ｄ）のゲート電極駆動信号Ｘ１が“Ｈｉ”として選択出力されると、１本目の１走査区間（１Ｈ：走査線）の表示信号▲１▼が選択されてＴＦＴ液晶表示パネル５上の１本目のゲート電極Ｘ１に書き込まれる。
【００５７】
そして、同図（ｂ）に示す走査シフトクロック信号▲５▼の２発目のパルスは２発連続して出力されて、同図（ｅ）のゲート電極駆動信号（Ｘ２）が非選択されるとともに、制御回路２により同図（ｌ）のゲート出力オフ信号▲６▼が“Ｌｏ”に設定されて、２本目の走査区間のゲート電極２は“Ｌｏ”に固定される。この時、ゲート電極Ｘ２に接続されたＴＦＴではオフ状態が維持されて、直前の偶数フィールドの５本目の走査区間で選択された表示信号▲１▼が液晶容量ＣＬＣに保持されている。
【００５８】
続いて、走査シフトクロック信号▲５▼の３発目のパルスで、同図（ｆ）のゲート電極駆動信号Ｘ３が“Ｈｉ”として選択出力されると、３本目の１走査区間の表示信号▲１▼が選択されてＴＦＴ液晶表示パネル５上の３本目のゲート電極Ｘ３に書き込まれ、続いて、同図（ｂ）の走査シフトクロック信号▲５▼の４発目のパルスで、同図（ｇ）のゲート電極駆動信号Ｘ４が“Ｈｉ”として選択出力されると、４本目の１走査区間の表示信号▲１▼が選択されてＴＦＴ液晶表示パネル５上の４本目のゲート電極Ｘ４に書き込まる。
【００５９】
そして、同図（ｂ）に示す走査シフトクロック信号▲５▼の５発目のパルスは２発連続して出力されて、同図（ｈ）のゲート電極駆動信号（Ｘ５）が非選択されるとともに、制御回路２により同図（ｌ）のゲート出力オフ信号▲６▼が“Ｌｏ”に設定されて、５本目の走査区間のゲート電極Ｘ５は“Ｌｏ”に固定される。この時、ゲート電極Ｘ５に接続されたＴＦＴではオフ状態が維持されて、直前の偶数フィールドの５本目の走査区間で選択された表示信号▲１▼が液晶容量ＣＬＣに保持されている。
【００６０】
続いて、走査シフトクロック信号▲５▼の６発目のパルスで、同図（ｉ）のゲート電極駆動信号Ｘ６が“Ｈｉ”として選択出力されると、６本目の１走査区間の表示信号▲１▼が選択されてＴＦＴ液晶表示パネル５上の６本目のゲート電極Ｘ６に書き込まれ、続いて、同様に同図（ｂ）の走査シフトクロック信号▲５▼の７発目のパルスで、同図（ｊ）のゲート電極駆動信号Ｘ７が“Ｈｉ”として選択出力されると、７本目の１走査区間の表示信号▲１▼が選択されてＴＦＴ液晶表示パネル５上の７本目のゲート電極Ｘ７に書き込まれ、続く走査シフトクロック信号▲５▼の８発目のパルスで、同図（ｋ）のゲート電極駆動信号Ｘ８が“Ｈｉ”として選択出力されると、８本目の１走査区間の表示信号▲１▼が選択されてＴＦＴ液晶表示パネル５上の５本目のゲート電極Ｘ８に書き込まれる。
【００６１】
以上の偶数フィールドでは、ゲートドライバ４によるゲート電極Ｘ１〜Ｘｎの選択及び非選択制御が走査線３本に走査線１本の割合で行われ、その非選択のゲート電極では、直前の奇数フィールドで選択された表示信号▲１▼が保持されることにより、走査区間（走査線）６本分の表示信号▲１▼は、ゲート電極Ｘ１〜Ｘ８の８本分に表示されることになり、８／６倍すなわち４／３倍に走査線の垂直伸張が行われたことになる。
【００６２】
以上のように、本実施の形態の液晶表示装置１では、フィールド毎に選択するゲート電極と非選択とするゲート電極を走査線（走査区間）３本に１本の割合で設定し、その非選択のゲート電極では、ＴＦＴの表示信号▲１▼保持機能により直前のフィールドで選択された表示信号▲１▼が保持されることにより、従来のようにラインメモリや走査線補完演算処理等を不要にして、簡易な制御回路２とゲートドライバ４により垂直走査線伸張機能を実現することができる。
【００６３】
その結果、液晶表示装置を利用したワイドテレビジョン等において、垂直走査線伸張機能を簡易な制御回路で実現できるため、その制御回路の基板面積を低減して消費電力の増加を抑えて、コスト上昇を極力抑えることができる。
【００６４】
なお、上記実施の形態の液晶表示装置１では、垂直走査線伸張機能として４／３倍に走査線の垂直伸張を行った場合を示したが、その走査線の伸張割合は任意に変更可能であることは勿論である。
【００６５】
【発明の効果】
請求項１記載の発明の液晶表示装置によれば、非選択とした走査線に係る表示素子には、直前の選択走査で当該表示素子に保持された前記映像入力信号を保持させることにより、垂直走査線伸張機能を容易に実現できるため、液晶表示装置において垂直走査線伸張機能を付加する際のコスト上昇を極力抑えることができる。
【００６６】
請求項２記載の発明の液晶表示装置によれば、液晶表示装置を利用したワイドテレビジョン等において、垂直走査線伸張機能を簡易な走査回路で実現できるため、その走査回路の基板面積を低減して消費電力の増加を抑えて、液晶表示装置を利用したワイドテレビジョン等において垂直走査線伸張機能を付加する際のコスト上昇を極力抑えることができる。
【００６７】
請求項３記載の発明の液晶駆動方法によれば、本発明の液晶駆動方法をＴＦＴ型液晶表示装置に採用することにより、垂直走査線伸張機能を容易に実現できるため、液晶表示装置において垂直走査線伸張機能を付加する際のコスト上昇を極力抑えることができる。
【００６８】
請求項４記載の発明の液晶駆動方法によれば、本発明の液晶駆動方法を液晶表示装置を利用したワイドテレビジョン等に採用することにより、垂直走査線伸張機能を簡易な走査回路で実現できるため、その走査回路の基板面積を低減して消費電力の増加を抑えて、液晶表示装置を利用したワイドテレビジョン等において垂直走査線伸張機能を付加する際のコスト上昇を極力抑えることができる。
【図面の簡単な説明】
【図１】本発明の液晶表示装置及び液晶駆動方法を適用した一実施の形態の液晶表示装置１の要部構成を示すブロック図。
【図２】図１のゲートドライバ４の回路構成図。
【図３】図１の液晶表示装置１における通常の液晶駆動方法による走査線（同図（ａ））とＴＦＴ液晶表示パネル５の表示状態（同図（ｂ））と、の関係を示す図。
【図４】図１の液晶表示装置１における走査線伸張処理の原理を説明するための走査線伸張処理前の走査線（同図（ａ））と、伸張処理後のＴＦＴ液晶表示パネル５の表示状態（同図（ｂ））と、の関係を示す図。
【図５】図４の奇数フィールドの垂直伸張処理を図１の液晶表示装置１で実行する際の各部の信号のタイミングチャート。
【図６】図４の偶数フィールドの垂直伸張処理を図１の液晶表示装置１で実行する際の各部の信号のタイミングチャート。
【符号の説明】
１    液晶表示装置
２    制御回路
３    ソースドライバ
４    ゲートドライバ
５    ＴＦＴ液晶表示装置
４１    ｎビットシフトレジスタ
４２    ＡＮＤゲート回路
４３    出力バッファ回路
【図１】
0003658630.tif 000002
【図２】
0003658630.tif 000003
【図３】
0003658630.tif 000004
【図４】
0003658630.tif 000005
【図５】
0003658630.tif 000006
【図６】
0003658630.tif 000007